(57)【要約】【課題】光エネルギーによって電力を発生させることにより、水槽が必要とする照明、及び濾過等装置の驅動電力要求を満足させ、地球環境の保護、省エネ、支出の減少等の目的を達成する、薄膜太陽電池の水槽を提案する。【解決手段】一つの水槽を含み、該水槽はフレーム及び若干の透明板片により構成され、別に若干の光エネルギー発電板を結合しており、該光エネルギー発電板は光透過構造で、光エネルギー発電板が光の照射を受けた後電力を生じさせる。一つの照明ユニットには、照明を供給する為の若干の発光部、及び輔助発光部を内設する。該照明ユニットには、光エネルギー発電板が生じる電力を蓄える為の一つの蓄電部を内設する。照明ユニット内には一つの電源切換制御部を設け、自動的に光エネルギー発電板、蓄電部、若しくは外部接続電源の電源供給の切り換えをする。【選択図】図２
0003139088.tif 000002
【実用新案登録請求の範囲】
【請求項１】
水槽と照明ユニットを含む薄膜太陽電池の水槽において、一つの水槽はフレーム、若干の透明板片によって構成され、任意の透明板片外には光エネルギー発電板を結合し、該光エネルギー発電板が光の照射を受けると、光エネルギーを電気エネルギーに変換し、一つの照明ユニットは発光部を含むことを特徴とする、薄膜太陽電池の水槽。
【請求項２】
前記光エネルギー発電板は、光透過可能材質構造であることを特徴とする、請求項１記載の薄膜太陽電池の水槽。
【請求項３】
前記水槽は、濾過ユニットを結合することを特徴とする、請求項１記載の薄膜太陽電池の水槽。
【請求項４】
前記発光部は、LEDライトであることを特徴とする、請求項１記載の薄膜太陽電池の水槽。
【請求項５】
前記照明ユニットは、蓄電部、外部接続電源、若しくは光エネルギー発電板の内の任意の一つを連結するか、その連結体であることを特徴とする、請求項１記載の薄膜太陽電池の水槽。
【請求項６】
前記照明ユニットは、電源切換制御部を連結し、照明ユニットへの電力供給源を切り換えることを特徴とする、請求項１記載の薄膜太陽電池の水槽。
【請求項７】
水槽、照明ユニットを含む薄膜太陽電池の水槽において、一つの水槽は、フレーム、若干の透明板片により構成され、一つの照明ユニットは発光部を含み、頂部に光エネルギー発電板を設けており、該光エネルギー発電板は光の照射を受けて光エネルギーを電気エネルギーに変換することを特徴とする、薄膜太陽電池の水槽。
【請求項８】
前記水槽は、濾過ユニットを結合することを特徴とする、請求項７記載の薄膜太陽電池の水槽。
【請求項９】
前記発光部は、LEDライトであることを特徴とする、請求項７記載の薄膜太陽電池の水槽。
【請求項１０】
前記照明ユニットは、蓄電部、外部接続電源、若しくは光エネルギー発電板の内の任意の一つを連結するか、その連結体であり、また、該照明ユニットは、電源切換制御部を連結し、照明ユニットの電気供給源を切り換えることを特徴とする、請求項７記載の薄膜太陽電池の水槽。
【考案の詳細な説明】
【技術分野】
【０００１】
本考案は、光エネルギー発電を使って水槽の照明ユニット及び濾過ユニットを動かす省エネ装置である。
【背景技術】
【０００２】
一般に使用されている水槽の多くには、照明装置及び濾過装置が設けられており、照明装置は、光線が不足している場合の水槽内への照明を提供したり、美観を備えるものである。また、濾過装置は水中の雑質を濾過し、水質の安定性を保持するものである。また、照明装置及び濾過装置は、長時間に渡り運転を保ててこそ、水槽内に飼っている魚等が生命を維持することができる。ただ、従来の照明装置及び濾過装置は全て外部接続電源を使用しており、毎日長時間運転を保たせなければならず、長期的には必然的に多くの電力を消耗している。近年、物価が徐々に上昇し、これに伴い値上げしている電気代は、一般家庭において益々大きな支出となっている。考案人は、環境保護、省エネの理念に基づき、特に本考案を開発し、本案の提出により、省エネルギーによって家計の支出を減少させる目的を達成することを期待している。
【考案の開示】
【考案が解決しようとする課題】
【０００３】
考案が解決しようとする課題は、従来の照明装置及び濾過装置は全て外部接続電源を使用しており、毎日長時間運転を保たせなければならず、長期的には必然的に多くの電力を消耗しており、環境保護、省エネの理念に反する点にある。
【課題を解決するための手段】
【０００４】
本考案の主な目的は、光エネルギーによって電力を発生させることにより、水槽が必要とする照明及び濾過等装置の驅動電力要求を満足させ、地球環境の保護、省エネ、支出の減少等の目的を達成する、薄膜太陽電池の水槽を提供することにある。
【０００５】
上述の目的を達成する為に、本考案は具体的に、一つの水槽はフレーム及び透明板片により構成されており、並びに、若干の光エネルギー発電板を結合する。該光エネルギー発電板は、光透過可能構造である故、水槽内の様子を見るのを妨害することがない。光エネルギー発電板は、光照射を受けて電力を発生する。一つの照明ユニットは、照明に用いる若干の発光部を内設する。照明ユニットに内設する一つの蓄電部は、光エネルギー発電板が生じる電力を貯存する。照明ユニットに内設した一つの電源切換制御部によって、自動的に光エネルギー発電板、蓄電部もしくは外部接続電源の供給電力源を切り換える。水槽には一つの濾過ユニットを架設し、循環濾過作用を提供して水槽内の水質の安定性を保持する。
【０００６】
本考案を実施する場合、光エネルギー発電板は、光の照射を受けて発生した電力を発光部、及び、濾過ユニットに提供して使用するものである。発光部と濾過ユニットをオフにして動いていない場合、電力は照明ユニットに内設する蓄電部の中に蓄えられる。光の照度が不足すると、光エネルギー発電板の生じる電力は、各ユニットへ電力提供不足となる。この場合、照明ユニット内に取り付けた電源切換制御部が、自動的に電力源を蓄電部に切り換えて電気供給する。光エネルギー発電板が生じた電力が各ユニットへの提供不足となり、蓄電部が蓄えた電力もまた各ユニットへの提供不足となった場合は、電源切換制御部は、自動的に電力源を外部接続電源に切り換え、各ユニットに提供する。以上のように、本考案のインテリジェント機能は構成されている。
【考案の効果】
【０００７】
以上説明したように、本考案は光エネルギーによって電力を発生させて、水槽が必要とする照明及び濾過等装置の驅動電力要求を満足させ、地球環境の保護、省エネ、支出の減少等に効果を持つものである。
【考案を実施するための最良の形態】
【０００８】
本考案の薄膜太陽電池の水槽における構成及びその効果を、図面を組み合わせた最良の実施例に基づいて下記のとおり詳細説明する。
【実施例１】
【０００９】
まず図１、図２、図３に示すとおり、本考案は一つの水槽1を含んでおり、該水槽1は、フレーム13及び若干の透明板片12によって構成され、その内任意一つ若しくは各々の透明板片12には光エネルギー発電板11を重ねている。該光エネルギー発電板11は、光透過可能な構造である故、水槽1内の様子を見るのを妨害することがない。水槽1は、別に照明ユニット2を配置しており、照明用の若干の発光部21を内設する。また、照明ユニット2には一つの蓄電部23を内設し、光エネルギー発電板11が生じた電力を貯存する。照明ユニット2に内設した一つの電源切換制御部24は、電力供給状況に応じて電気供給源を自動的に切り換える。
【００１０】
光エネルギー発電板11は光の照射を受けて電力を発生、直接、発光部21及び濾過ユニット3に供給使用するものである。光エネルギー発電板11で生じた電力が、各ユニットが必要とする電力を超過すると、余剰電力は制御部材24によって自動的に切り換えられ、蓄電部23に蓄えられる。発光部21及び濾過ユニット3がオフ状態でまだ動いていない場合、電源切換制御部24は、自動的に電力を蓄電部23にストックする。
【００１１】
光線の照度強度が減少した場合、光エネルギー発電板11が生じる電力は比較的弱い。電力が各ユニット使用に不十分であると、電源切換制御部24が、自動的に電気供給源を蓄電部23に切り替え電気供給する。光エネルギー発電板11が生じる電力、及び、蓄電部23の蓄電量のどちらも各ユニット使用に不十分な場合、電源切換制御部24は、自動的に電気供給源を外部接続電源25に切り換え、各ユニットに供給する。外部接続電源25を使用して電気供給する場合、電源切換制御部24は自動的に発光部21をオフにし、輔助発光部22を使用する。
【実施例２】
【００１２】
図４は、本考案のもう一つの実施例であり、該実施例は、フレーム13に結合した光エネルギー発電板11を、照明ユニット2上に設けたものであり、該光エネルギー発電板26は光不透過構造である。
【図面の簡単な説明】
【００１３】
【図１】本考案の立体外観図
【図２】本考案の立体分解図
【図３】本考案の照明ユニット立体外観図
【図４】本考案のもう一つの実施例の立体外観図
【符号の説明】
【００１４】
１        水槽
１１      光エネルギー発電板
１２      透明板片
１３      フレーム
２        照明ユニット
２１      発光部
２２      輔助発光部
２３      蓄電部
２４      電源切換制御部
２５      外部接続電源
２６      光エネルギー発電板
３        濾過ユニット
【図１】
0003139088.tif 000003
【図２】
0003139088.tif 000004
【図３】
0003139088.tif 000005
【図４】
0003139088.tif 000006